(57)【要約】      （修正有）【課題】平面から見た天板の結合態様である長方形の態様を、長方形以外の異形態様にすることが容易にできる構造を備えた多人数用の連結机を提供する。【解決手段】一人用机の長方形の天板１と、天板１の左右側のいずれか一方側に結合された側面視略倒立Ｌ状をなす腕２１と柱２２を備えた中間支持体２または脚体５と、中間支持体２又は天板１に取付けられて支持される幕板状の垂下部材３とを連結机要素とする。連結机要素の２個を、側面視対称な関係で対向した天板１、１の間に隙間Ｇを形成して配置し、対向した中間支持体２、２同士を連結材４１、４２を介し結合して成る連結机要素の組と、連結机要素の左右側の他方側に結合される脚体５とを具備し、天板１の長手方向において隣接する天板１、１同士の端部を結合し、連結机の組同士の連結体を形成する。【選択図】図１
2013111134.tif 000002
【特許請求の範囲】
【請求項１】
一人用机の長方形の天板と、該天板の左右側のいずれか一方側に結合される側面視略倒立Ｌ状をなす腕と柱を備えた中間支持体と、該支持体又は前記天板に取付けられて支持される幕板状の垂下部材とを備えた連結机要素と、該連結机要素の２個を、側面視対称な関係で対向した天板の間に隙間を形成して配置し、対向した前記中間支持体同士、並びに、垂下部材同士を連結材を介し結合して成る連結机要素の組と、前記連結机要素又は連結机要素の組における前記天板の左右側の他方側に結合される当該要素用の脚体を具備した連結机の基本的構成において、
前記連結机要素の組同士を、その天板の長手方向において隣接する天板同士の端部を結合すると共に当該端部を前記中間支持体の上に固定することにより当該連結机の組同士の連結体を形成し、当該連結体の左右側の少なくとも一方側の外側に、前記連結机の要素を配置して隣接する天板同士の端部を結合しつつ前記中間支持体の上に固定し、このようにして連結した連結机要素の組の連結体と連結机要素における天板の左右側の最外側に、連結机要素用の脚体を結合したことを特徴とする連結形態可変の連結机。
【請求項２】
請求項１の連結机の基本的構成において、連結机要素の組の左右側の少なくとも一方側の外側に、前記連結机要素を配置して隣接する天板同士の端部を結合しつつ前記中間支持体の上に固定し、このようにして連結した連結机要素の組と連結机要素における天板の左右側の最外側に、前記連結机要素用の脚体を結合した連結形態可変の連結机。
【請求項３】
請求項１の連結机の基本的構成において、一つの連結机要素の組又は天板の長さ方向において連結した連結机要素の組の左右両側に連結机要素を配置し、隣接する天板同士を結合しつつ中間支持体の上に固定し、このようにして連結された連結机要素の左右の最外側に、当該要素用の脚体を結合した連結形態可変の連結机。
【請求項４】
複数の連結机要素の組同士を、天板の長手方向において隣接する天板同士の端部を中間支持体に支持させて結合し連結机要素の組の連結体を形成すると共に、該連結体の左右方向の最外側位置する天板外側端を連結机要素用の脚体に結合した連結机において、最外側又は中間の連結机要素の一つを中間支持体と脚体を備えた状態でこの連結体から取外すと共に、取外した中間支持体に代えて、取外した前記連結机要素に隣接して残った連結机要素の天板の側端部を支持するための脚体を、取外した前記中間支持体と結合されていた中間支持体に結合するようにしたことを特徴とする連結机。
【発明の詳細な説明】
【技術分野】
【０００１】
本発明は、複数人が同時に着席して使用できる大きさに形成した大形天板を備えた連結机に関する。
【背景技術】
【０００２】
従来から、複数人が同時に使用できる大きさ，平面形態を備えた机（以下、多人数用机、或は、連結机ともいう）は、特許文献１〜３などを始めとして多数の提案があり、実製品も市場に提供されていて公知である。
【０００３】
従来の多人数用机は、主として天板製造上の制約に拠り、通常サイズの一人用机の天板と同等の大きさ，平面形態を有する天板の複数枚を結合した形態して構成したものが殆んどである。具体的には長方形天板を長手方向で対向して連結した連結天板（これを両面連結という）の複数個を、当該連結天板の長手方向で連結した態様のものである。
【０００４】
複数の両面連結天板を結合して広大な結合天板を形成した場合、天板の結合強度、特に垂直荷重に対する強度を確保する必要があるため、結合した天板全体の長さ方向に貫通した作用をする梁構造を、結合した両面連結天板の長さ方向下面の中央部に配線用ダクト等の機能を兼ねた部材によって形成したタイプの連結机が知られている。
【０００５】
上記結合形態による両面連結の天板と、その結合した両面連結天板の下面中央を貫通した配線ダクト機能を有する梁状構造体による連結机の基本構造体は、連結した両面連結天板の左右両側端部に、当該連結天板と貫通した梁状構造体に結合されるパネル状脚体や門型の柱状脚体が設けられると共に、前記梁状構造体の中間部分に、垂直荷重を支える中間脚体が設けられた基本的形態を備えている。
【０００６】
しかし乍ら、上記の基本的形態を具備した多人数用の連結机は、広大に結合された両面連結天板が平面視矩形状すなわち大きな長方形状を呈しているため、実際にレイアウトしてみると、天板のこの平面形状によって使い勝手や配置スペースの点から見ると改善すべき課題のあることが判った。
【０００７】
すなわち、多人数用机を使用する人員数が、結合した両面連結天板の枚数より少ない場合には、結合した天板スペースが無駄に余ることになり、また、この結合した両面連結天板を有する机の配置場所が、スペース上の問題や平面から見た部屋の凹凸形状や変形があったり、或は、この机を配置したい場所に柱が存在したりすると、結合した両面連結天板の一部が邪魔になる場合があることが判った。
【０００８】
因みに、公知の多人数用の連結机では、上記問題に対応できるようには形成されておらず、せいぜい結合した天板全体の長さ方向での天板の結合枚数を減じて対処する、換言すれば、両面連結天板の連結机全体の長さを加減するしか方法がなかった。
【先行技術文献】
【特許文献】
【０００９】
【特許文献１】特開２００４−１５９７９９号公報
【特許文献２】特開２００９−１４８４９６号公報
【特許文献３】特開２００９−２６１８２１号公報
【発明の概要】
【発明が解決しようとする課題】
【００１０】
そこで本発明では、上記のように多人数用に広大に形成された結合された両面連結天板を備えた連結机の現状での問題点に鑑み、平面から見た天板の結合態様である長方形の態様を、長方形以外の異形態様にすることが容易にできる構造を備えた多人数用の連結机を提供することをその課題とする。
【課題を解決するための手段】
【００１１】
上記課題を解決することを目的としてなされた天板の結合形態を可変にした本発明連結机の構成は、一人用机の長方形の天板と、該天板の左右側のいずれか一方側に結合された側面視略倒立Ｌ状をなす腕と柱を備えた中間支持体と、該支持体又は前記天板に取付けられて支持される幕板状の垂下部材とを備えた連結机要素と、該連結机要素の２個を、側面視対称な関係で対向した天板の間に隙間を形成して配置し、対向した前記中間支持体同士、並びに、垂下部材同士を連結材を介し結合して成る連結机要素の組と、前記連結机要素の左右側の他方側に結合される当該要素用の脚体とを具備した連結机の基本的構成において、
前記連結机要素の組同士を、その天板の長手方向において隣接する天板同士の端部を結合すると共に当該端部を前記中間支持体の上に固定することにより当該連結机の組同士の連結体を形成し、当該連結体の左右側の少なくとも一方側の外側に、前記連結机の要素を配置して隣接する天板同士の端部を結合しつつ前記中間支持体の上に固定し、このようにして連結した連結机要素の組の連結体と連結机要素における天板の左右側の最外側に、連結机要素用の脚体を結合したことを特徴とするものである。
【００１２】
本発明は、上記の天板結合形態を可変にした連結机を、以下のように構成することもできる。
すなわち、本発明連結形態可変の連結机の他の構成は、一人用机の長方形の天板と、該天板の左右側のいずれか一方側に結合された側面視略倒立Ｌ状をなす腕と柱を備えた中間支持体と、該中間支持体又は前記天板に取付けられて支持される幕板状の垂下部材とを備えた連結机要素と、該連結机要素の２個を、側面視対称な関係で突合せ態様で配置し、対向した前記中間支持体同士、並びに、垂下部材同士を連結材を介し結合して成る連結机要素の組と、前記連結机要素の左右側の他方側に結合される当該要素用の脚体を具備しており、
前記連結机要素の組の左右側の少なくとも一方側の外側に、前記連結机の要素を配置して隣接する天板同士の端部を結合しつつ前記中間支持体の上に固定し、このようにして連結した連結机要素の組と連結机要素における天板の左右側の最外側に、前記連結机要素用の脚体を結合したことを特徴とする。
【００１３】
本発明では、上記の連結机の基本的構成において、一つの連結机要素の組又は天板の長さ方向において連結した連結机要素の組の左右両側に連結机要素を配置し、隣接する天板同士を結合しつつ中間支持体の上に固定し、このようにして連結された連結机要素の左右の最外側に、当該要素用の脚体を結合する態様とすることもある。
【発明の効果】
【００１４】
本発明では、一人用机の長方形の天板と、該天板の左右側のいずれか一方側に結合された側面視略倒立Ｌ状をなす腕と柱を備えた中間支持体と、該中間支持体又は前記天板に取付けられて支持される幕板状の垂下部材とを備えた連結机要素と、この連結机要素用の脚体とを本発明連結机の基本的構成要素としたから、前記連結机要素を向い合せた突合せ形態で結合（連結）することにより連結机要素の組を形成できると共に、この組の左右方向に連結机要素を任意の個数結合すると、複数個の連結机の要素によって天板の任意の連結態様を実現することができる。
【図面の簡単な説明】
【００１５】
【図１】本発明連結机の一例の斜視図。
【図２】図１の連結机を分解した状態の要部の斜視図。
【図３】本発明における連結机要素用の脚体と垂下部材の結合部の一例の斜視図。
【図４】本発明連結机に用いる中間支持体の一例の斜視図。
【図５】本発明連結机に用いる垂下部材の一例の中間省略した斜視図。
【図６】本発明連結机における連結机要素用の脚体の一例の斜視図。
【図７】本発明連結机の連結パターンを例示した平面図。
【発明を実施するための形態】
【００１６】
次に、添付図面に基づいて本発明連結机の実施の形態例について説明する。
図１〜図３において、１は、一般的な一人用机の天板と同等大きさの平面長方形の天板であって、図１の本発明連結机の実施例では、５枚の天板１が用いられている。本発明連結机において、用いられる天板１の枚数は、上記実施例の数に限られるものではなく、３枚以上であればよい。２は、前記の５枚の天板１において、天板同士の長さ方向両端部における突合せ結合部に配設された倒立略Ｌ字状をなす腕２１と柱２２とを具備した中間支持体である。図４は、２個の中間支持体２，２を連結材４と４１により結合した状態で示した斜視図である。
【００１７】
３は、前記各天板１において、各天板１の前端側の下面に配置される上下幅が比較的狭い幕板状の垂下部材で、この垂下部材３は上下端の縁が断面Ｌ状やコ状をなすように折曲げられた上，下の縁部３ａ，３ｂを有すると共に、垂直面に３ｃに、断面Ｌ字状レール部材などを取付けてなる係止部３ｄが設けられている。係止部３ｄは、後述する断面略Ｕ状や略Ｌ状の配線用トレーを係止するための構成である。３ｅは垂下部材の左右両端に折り曲げ形成した取付壁で、後述するパネル状の脚体５，６の内面と、前記中間支持体の柱２２の側面（脚対５，６に対向した面）に設けた取付ピン（図示せず）に係止されるだるま孔３を有する。図５は中間省略で示した垂下部材の斜視図であり、対向配置される天板１，１の下方で２つの垂下部材３，３は係止部３ｄ側を対向して配置される。
【００１８】
上記垂下部材３は、図１〜図３に示す実施例では、各天板１の前端部近傍の下面において、上記の中間支持体２の柱２２と後述する脚体５又は６に、当該垂下部材３の両端部取付壁３ｅにおいて支持され、垂下姿勢で配置される。なお、垂下部材３の支持（又は取付）形態は、図示しないが、取付用ブラケットなどを介して各天板１の前端部近傍の下面に垂下姿勢で支持する（取付ける）形態を選択することもできる。
【００１９】
この実施例においては、上記の１枚の天板１と、この天板１の右側（又は左側）に結合される中間支持体２と、前記天板１の前端部下面に配置された垂下部材３と、前記中間支持体２の反対側において天板１を支持して当該天板１と垂下部材３に結合される脚体５（又は６）によって、脚体５又は６が取付けられた本発明の連結机要素を形成する。
【００２０】
また、本発明では、この連結机要素の２つを、２枚の天板１，１の長手方向辺を対向させて対向辺間に隙間Ｇを形成した状態で配置し、このように配置した２個の連結机要素において夫々に天板１，１の一方の側端（図１では右側）を支持している腕２１，２１と柱２２，２２を有する対向した中間支持体２，２同士を、その柱２２，２２において複数本の連結材４，４１により結合すると共に、天板１，１の他方の側端を脚体５と脚体６の天板受け５ａと６ａにビス止めなどにより結合し、かつ、両脚体５，６を突合せ部において連結材４２，４３により結合すること、並びに、各垂下部材３の左右側端面を、前記脚体５，６と中間支持体２の柱２２にビス止めやピン係止などにより結合することにより、連結机要素の組を形成している。因みに、この連結机要素の組における天板の配置は公知の両面連結に当たる。
【００２１】
上記連結机要素において、対面する垂下部材３，３は、その底部を連結材４又は同等機能を持つ部材によって結合することもある。また、対向した天板１，１の隙間Ｇが形成される部位には、図示しないが、当該天板１の下面に前記隙間Ｇを塞ぐため、開閉自在又は着脱自在にして蓋体（図示せず）を配設するための蓋体受座（図示せず）が設けられている。蓋体受座は、置きタイプの蓋体を位置決めするための突起を設けたタイプと、蓋体を開閉自在に支持するためのヒンジを備えたタイプのいずれかを選択する。
【００２２】
上記のように、連結机要素とこの要素の２つを対面させた連結机要素の組における２枚の天板１，１は、パネル状の脚体５又は６のその上端に設けた天板受け５ａ又は６ａと、中間支持体２の腕２１の上面に形成した天板受け部２１ａに載置され、図示しない天板止めビスなどにより、脚体５又は６と中間支持体２の腕２１に結合されて取付けられる。なお、腕２１の上面に形成した天板受け２１ａは、２枚の天板１，１の突合せ当接部位を支持することができる幅と２枚の天板１，１の端部に対応した複列のビス穴２１ｂを有して形成されている。
【００２３】
垂下部材３は、その左右側面部を起立させて形成した帯状の取付壁３ｅ（左側端の取付片は図３に表われない）において、脚体５又は６の立壁面と、中間支持体２における柱２２の立壁面に、図に表れない取付ピンなどによって取付けられることにより、当該脚体５又は６と中間支持体２に結合される。
【００２４】
上記のようにして構成部材が連結，結合される本発明連結机は、図１に示した連結形態は一例であって、図８の平面図に例示するような連結パターンを選択することができる。
すなわち、（イ）１つの連結机要素の組又は２つ以上連結した連結机要素の組の左側に少なくとも１つの連結机要素を連結したパターン（図１の例とは対称的な連結パターン、図８（イ）参照）、（ロ）１つの連結机要素の組又は２つ以上連結した連結机要素の組の左右両側に少なくとも１つの連結机要素を連結したパターン（図８（ロ）参照）、（ハ）少なくとも１つの連結机要素の左右両側に少なくとも１つの連結机要素の組を連結したパターン（図８（ハ）参照）が基本的な連結パターンである。本発明では、図８に例示した連結パターンにおいて、その左右両側又は一方の側に、連結机要素又は連結机要素の組をさらに連結する連結パターンをとることができ、そのように連結することは任意である。もちろん、連結机要素だけの連結パターンや連結机要素の組だけの連結パターンの連結机も形成することができる。
【００２５】
図７に例示するような連結パターンを採る本発明連結机において、連結机要素が一つ単独で結合されている部位では、垂下部材３は１枚しかないため、対向した２枚の天板１，１による隙間Ｇの下方に垂下部材３，３が対向して存在する連結机要素の組のように、対向する２枚の垂下部材３による配線用ダクトは形成されない。そこで本発明では、連結机要素単独の垂下部材３の前面側にダクト形成用幕板部材３１を設置することにより、この幕板部材３１と垂下部材３により配線用のダクトを形成するようにした（図１参照）。これにより、天板１の前端と幕板部材３１の上端の間に隙間Ｇ’が形成されるので、垂下部材３の前面の係止部３ｄに配線用トレーを係止することができる。
【００２６】
また、図１に例示したように、中間支持体２と脚体５が対面している部分では、中間支持体２における柱２２と脚体５との対向面の間に、連結材４２を架設固定し、中間支持体２と脚体５を結合している。この場合の連結部材４２は、２つの中間支持体２同士の柱２２同士を結合する連結材４よりも短い、例えば、略１／２程度の長さのものである。本発明では、中間支持体２，２同士を結合している連結材４を用いて脚体５（６）を中間支持体２の柱２に結合することができる構成もある。
すなわち、２つの中間支持体２同士を結合している場合において、この結合状態から１つの中間支持体２を外し、残った中間支持体２に結合している連結体４に、パネル状の脚体５（６）の側端部を結合するのである。
中間支持体２と脚体５（６）の上記の結合態様を採ることにより、両面連結の連結机要素の組のみで構成されていた連結机において、その中から１つの連結机要素を外したとき、外される連結机要素と一緒に外される中間支持体２に代えて脚体５（６）を、連結机の外側端になる天板を支えるために対向する側に残った中間支持体２と連結材４を介して結合させ組込むことができる。なお、中間支持体２に後からパネル状の脚体５（６）を結合する場合においては、先に述べたように、連結材４の略１／２長の連結材４２を用いた結合態様もある。
【００２７】
本発明は、以上に述べたように、一人用机の長方形の天板と、該天板の左右側のいずれか一方側に結合される側面視略倒立Ｌ状をなす腕と柱を備えた中間支持体と、該支持体又は前記天板に取付けられて支持される幕板状の垂下部材とを備えた構成を連結机要素とし、また、該連結机要素の２個を、側面視対称な関係で対向した天板の間に隙間を形成して配置して、対向した前記中間支持体同士、並びに、垂下部材同士を連結材を介し結合して成る連結机要素の組としたので、天板が１枚の前記連結机要素と天板が両面連結で２枚の連結机要素の組を組み合わせることによる連結机を形成することができる。
【００２８】
また、連結机要素と連結机要素の組の組合せたものとの組合せにおける前記天板の中間支持体が設けられない側に結合する連結机要素用の脚体とによって本発明連結机の基本的構成としたから、前記連結机要素の組と連結机の要素とを適宜組合せて連結することにより天板の平面パターンが単なる四角形状ではない図８に例示したような異形パターンを任意かつ容易に採ることができ、従って、連結机を設置する場所の平面形状や柱等の障害物を避けた連結パターンの連結机や連結机を使用する人員数に合わせた天板数の連結机に容易に形成することができる。
【００２９】
すなわち、本発明によれば上記のように連結する天板の数とその連結パターンを任意に選択することができるので、使用人数に合せた天板の連結態様の連結机だけではなく、設置場所の異形の平面形状や、柱等の机の配置に邪魔になるものがある場合などにおいても、その異形平面に沿った連結態様や柱等を回避した連結態様を容易に採ることができる。
【００３０】
本発明は以上の通りであるから、同形状の複数の天板を連結して形成されるタイプの連結机における異形に連結された連結天板を備えた机としてきわめて有用である。
特に本発明連結机は、連結する天板を向い合せ（突合せ）結合した連結天板要素の組をその天板の長さ方向において複数組連結した連結机として使用しているとき、その連結机の中から１本の天板を抜いた（１個の連結机要素を除去した）形の連結形態を容易に形成できるので、設置場所の変形や使用人員の減少などに対応した連結形態を容易に実現できて使用上至って便利である。
【符号の説明】
【００３１】
１    天板
２    中間支持体
２１  腕
２２  柱
３    垂下部材
３１  幕板部材
４，４１，４２，４３  連結材
５，６  脚体
【図１】
2013111134.tif 000003
【図２】
2013111134.tif 000004
【図３】
2013111134.tif 000005
【図４】
2013111134.tif 000006
【図５】
2013111134.tif 000007
【図６】
2013111134.tif 000008
【図７】
2013111134.tif 000009